(57)【要約】【課題】給送前の原稿を載置する原稿サポート部の姿勢をより容易に、適切な角度に保つとともに、ジャム処理性にも配慮された画像読み取り装置を得る。【解決手段】画像読取装置は、読み取り手段と、原稿を支持する原稿サポート部と、原稿を読み取り手段に向けて送り出す給送手段と、開閉可能であり、閉じた状態で第１面が装置上面を形成し、開いた状態で第２面が原稿を支持する支持面を形成するカバー部と、装置上面を形成するベースフレームとを備え、原稿サポート部は回動可能に設けられ、給送手段から原稿を給送する姿勢である第１姿勢と第１姿勢から上方に開いて原稿サポート部の下部空間を拡げる第２姿勢とを切り換え可能であり、カバー部は閉じた状態で第１面がベースフレームの上面とともに水平方向に沿った装置上面を形成し、原稿サポート部の第１姿勢は、閉じた状態でカバー部の第２面に沿う高さ位置にある。【選択図】図４
2018160846.tif 000002
【特許請求の範囲】
【請求項１】
原稿を読み取る読み取り手段と、
給送前の原稿を支持する原稿サポート部と、
前記原稿サポート部に支持された原稿を前記読み取り手段に向けて送り出す給送手段と、
開閉可能であり、閉じた状態で第１面が装置上面を形成し、開いた状態で前記第１面とは反対側の第２面が前記原稿サポート部とともに原稿を支持する支持面を形成するカバー部と、
前記カバー部とともに装置上面を形成するベースフレームと、を備え、
前記原稿サポート部は回動可能に設けられ、回動することにより、前記給送手段から原稿を給送する姿勢である第１姿勢と、前記第１姿勢から上方に開いて前記原稿サポート部の下部空間を拡げる第２姿勢と、を切り換え可能であり、
前記カバー部は、閉じた状態で前記第１面が前記ベースフレームの上面とともに水平方向に沿った装置上面を形成し、
前記原稿サポート部の前記第１姿勢は、閉じた状態における前記カバー部の前記第２面に沿う高さ位置にある、
ことを特徴とする画像読取装置。
【請求項２】
請求項１に記載の画像読取装置において、前記読み取り手段によって読み取りが行われて排出される原稿を受ける排出トレイを備え、
前記排出トレイは、開閉可能に設けられ、閉じた状態で前記カバー部の前記第１面及び前記ベースフレームの上面とともに水平方向に沿った装置上面を形成する、
ことを特徴とする画像読取装置。
【請求項３】
請求項１または請求項２に記載の画像読取装置において、前記カバー部は、閉じた状態において前記原稿サポート部によって支持される、
ことを特徴とする画像読取装置。
【請求項４】
請求項１から請求項３のいずれか一項に記載の画像読取装置において、前記原稿サポート部の下流側に位置し、前記原稿サポート部ととともに給送前の原稿を支持する下流サポート部を形成するサポートフレームを有し、
前記サポートフレームは、回動可能に設けられ、回動することにより、前記下流サポート部が給送前の原稿を支持する給送時姿勢と、前記給送時姿勢から上方に開いて前記下流サポート部の下部空間を拡げる開放姿勢と、を切り換える、
ことを特徴とする画像読取装置。
【請求項５】
請求項４に記載の画像読取装置において、前記原稿サポート部は、前記サポートフレームに対して回動可能に連結されている、
ことを特徴とする画像読取装置。
【請求項６】
請求項１から請求項５のいずれか一項に記載の画像読取装置において、前記カバー部は、開いた状態において前記ベースフレームに支持される、
ことを特徴とする画像読取装置。
【請求項７】
請求項１から請求項６のいずれか一項に記載の画像読取装置において、前記原稿サポート部の回動軸は、当該原稿サポート部の給送方向下流側に位置する、
ことを特徴とする画像読取装置。
【請求項８】
請求項４または請求項５に記載の画像読取装置において、前記原稿サポート部の前記第１姿勢は、前記原稿サポート部が前記サポートフレームに当接することにより規定される、
ことを特徴とする画像読取装置。
【請求項９】
請求項４、請求項５、請求項８、のいずれか一項に記載の画像読取装置において、前記原稿サポート部から給送された原稿が下向きに湾曲反転され、前記原稿サポート部の下側を通って排出される原稿搬送路と、
前記原稿搬送路のうち前記下流サポート部から前記読み取り手段に至る原稿の湾曲反転搬送路の外側を形成する湾曲搬送路形成部材と、を備え、
前記湾曲搬送路形成部材は、前記原稿サポート部の回動軸より下側に位置する回動軸を中心に回動することで開閉し、閉じることにより前記湾曲反転搬送路を形成し、開くことにより前記湾曲反転搬送路を開放する、
ことを特徴とする画像読取装置。
【請求項１０】
請求項９に記載の画像読取装置において、前記湾曲搬送路形成部材は、閉じた状態で前記カバー部の前記第１面及び前記ベースフレームの上面とともに水平方向に沿った装置上面を形成する、
ことを特徴とする画像読取装置。
【請求項１１】
請求項１０に記載の画像読取装置において、前記カバー部及び前記湾曲搬送路形成部材の双方が閉じた際、装置上面において前記カバー部の縁部と前記湾曲搬送路形成部材の縁部とが対向しており、
前記湾曲搬送路形成部材の縁部の一部には凹部が形成され、当該凹部を介して前記カバー部の縁部の少なくとも一部が露呈する、
ことを特徴とする画像読取装置。
【請求項１２】
請求項１から請求項１１のいずれか一項に記載の画像読取装置において、前記原稿サポート部と前記カバー部は、原稿給送方向と交差する方向である原稿幅方向の少なくとも一部において、原稿給送方向でオーバーラップしている、
ことを特徴とする画像読取装置。
【請求項１３】
請求項９から請求項１１のいずれか一項に記載の画像読取装置において、前記原稿サポート部の開動作に連動して前記湾曲搬送路形成部材が開く、
ことを特徴とする画像読取装置。
【発明の詳細な説明】
【技術分野】
【０００１】
本発明は、媒体の面を読み取る画像読取装置に関する。
【背景技術】
【０００２】
画像読取装置の一例であるスキャナーには、原稿自動送り装置（ＡＤＦ（Ａｕｔｏ  Ｄｏｃｕｍｅｎｔ  Ｆｅｅｄｅｒ）とも呼ばれる）が設けられ、複数枚の原稿の自動送りと読み込みとを行える様に構成されたものがある。原稿自動送り装置の構成として、原稿を支持する原稿サポート部から原稿を送り出し、Ｕ字反転させた後に原稿を読み取り位置に搬送し、そして排出トレイに向けて排出する構成が採られたものがある。  
特許文献１には、その様な原稿自動送り装置を備えたスキャナーの一例が記載されている。
【先行技術文献】
【特許文献】
【０００３】
【特許文献１】特開２０１０−２４５６２４号公報
【発明の概要】
【発明が解決しようとする課題】
【０００４】
特許文献１記載の構成では、用紙サポート部３０が、給送前の原稿を載置する原稿サポート部に相当する。ここで、給送前の原稿を載置する原稿サポート部からは給送ローラーによって原稿が送り出される為、原稿サポート部の姿勢、より具体的には原稿サポート面の傾斜角度は適切な角度に維持されることが好ましい。  
特許文献１記載の用紙サポート部３０は、収納時ポジションと使用時ポジションとを切り換え可能であり、収納時ポジションから上方に揺動して使用時ポジションに切り換わることで、原稿の給送が可能となる構成である。この用紙サポート部３０の上方への揺動は、収納状態で用紙サポート部３０を覆うカバー部４０が開く際、カバー部４０に形成された突片４５が、用紙サポート部３０を押し上げることで実現される。
【０００５】
従って用紙サポート部３０が使用時ポジションにある際の傾斜姿勢を適切に形成する為には高い部品精度が必要となり、この点においてなお改善の余地があった。  
一方、原稿自動送り装置には、従来から良好なジャム処理性が求められており、それとの両立を図ることも重要となる。
【０００６】
そこで本発明はこの様な状況に鑑みなされたものであり、給送前の原稿を載置する原稿サポート部の姿勢をより容易に、適切な角度に保つとともに、ジャム処理性にも配慮された画像読み取り装置を得ることにある。
【課題を解決するための手段】
【０００７】
上記課題を解決する為の、本発明の第１の態様に係る画像読取装置は、原稿を読み取る読み取り手段と、給送前の原稿を支持する原稿サポート部と、前記原稿サポート部に支持された原稿を前記読み取り手段に向けて送り出す給送手段と、開閉可能であり、閉じた状態で第１面が装置上面を形成し、開いた状態で前記第１面とは反対側の第２面が前記原稿サポート部とともに原稿を支持する支持面を形成するカバー部と、前記カバー部とともに装置上面を形成するベースフレームと、を備え、前記原稿サポート部は回動可能に設けられ、回動することにより、前記給送手段から原稿を給送する姿勢である第１姿勢と、前記第１姿勢から上方に開いて前記原稿サポート部の下部空間を拡げる第２姿勢と、を切り換え可能であり、前記カバー部は、閉じた状態で前記第１面が前記ベースフレームの上面とともに水平方向に沿った装置上面を形成し、前記原稿サポート部の前記第１姿勢は、閉じた状態における前記カバー部の前記第２面に沿う高さ位置にあることを特徴とする。
【０００８】
本態様によれば、前記原稿サポート部は、前記給送手段から原稿を給送する姿勢である第１姿勢と、前記第１姿勢から上方に開いて前記原稿サポート部の下部空間を拡げる第２姿勢と、を切り換え可能であり、即ち開く前の姿勢である前記第１姿勢が原稿を給送する姿勢であるので、原稿給送時の前記原稿サポート部の姿勢をより容易に、適切な角度に保つことができる。  
加えて、前記原稿サポート部の前記第１姿勢は、閉じた状態における前記カバー部（水平方向に沿った姿勢にある前記カバー部）の前記第２面に沿った高さ位置にあるので、前記原稿サポート部の下側空間を最大限に確保でき、ジャム処理性が向上する。  
更に前記カバー部は、閉じた状態で前記第１面が前記ベースフレームの上面とともに水平方向に沿った装置上面を形成するので、装置上面の平坦性が確保され、美観に優れるとともに装置上面に原稿等を載置した際の安定性が向上する。
【０００９】
本発明の第２の態様は、第１の態様において、前記読み取り手段によって読み取りが行われて排出される原稿を受ける排出トレイを備え、前記排出トレイは、開閉可能に設けられ、閉じた状態で前記カバー部の前記第１面及び前記ベースフレームの上面とともに水平方向に沿った装置上面を形成することを特徴とする。
【００１０】
本態様によれば、前記排出トレイは、開閉可能に設けられ、閉じた状態で前記カバー部の前記第１面及び前記ベースフレームの上面とともに水平方向に沿った装置上面を形成するので、前記排出トレイを備える構成において装置上面の平坦性が確保され、美観に優れるとともに装置上面に原稿等を載置した際の安定性が向上する。
【００１１】
本発明の第３の態様は、第１のまたは第２の態様において、前記カバー部は、閉じた状態において前記原稿サポート部によって支持されることを特徴とする。  
本態様によれば、前記カバー部は、閉じた状態において安定した姿勢にある（前記第１姿勢にある）前記原稿サポート部によって支持されるので、前記カバー部の閉じた姿勢を適切に保つことができ、特に装置上面の平坦性が確保される。
【００１２】
本発明の第４の態様は、第１から第３の態様のいずれかにおいて、前記原稿サポート部の下流側に位置し、前記原稿サポート部ととともに給送前の原稿を支持する下流サポート部を形成するサポートフレームを有し、前記サポートフレームは、回動可能に設けられ、回動することにより、前記下流サポート部が給送前の原稿を支持する給送時姿勢と、前記給送時姿勢から上方に開いて前記下流サポート部の下部空間を拡げる開放姿勢と、を切り換えることを特徴とする。
【００１３】
本態様によれば、前記原稿サポート部の更に下流側に位置する下流サポート部を形成するサポートフレームが開放可能であるので、前記下流サポート部の下側空間が拡がることでジャム処理性がより一層向上する。
【００１４】
本発明の第５の態様は、第４の態様において、前記原稿サポート部は、前記サポートフレームに対して回動可能に連結されていることを特徴とする。  
本態様によれば、前記原稿サポート部は、前記サポートフレームに対して回動可能に連結されているので、前記原稿サポート部と前記サポートフレームの双方を開くことで前記原稿サポート部及び前記サポートフレームの下側空間が大きく露呈し、ジャム処理性がより一層向上する。  
加えて、前記原稿サポート部を持ち上げることで前記サポートフレームも持ち上げることができる為、操作性も向上する。
【００１５】
本発明の第６の態様は、第１から第５の態様のいずれかにおいて、前記カバー部は、開いた状態において前記ベースフレームに支持されることを特徴とする。  
本態様によれば、前記カバー部は、開いた状態において前記ベースフレームに支持されるので、前記カバー部の開いた姿勢がより適切且つ確実に定まる。
【００１６】
本発明の第７の態様は、第１から第６の態様のいずれかにおいて、前記原稿サポート部の回動軸は、当該原稿サポート部の給送方向下流側に位置することを特徴とする。  
本態様によれば、前記原稿サポート部の回動軸は、当該原稿サポート部の給送方向下流側に位置するので、ジャム処理の際に前記原稿サポート部を開いた際に、装置内部に手を差し入れ易い状態とすることができる。
【００１７】
本発明の第８の態様は、第４のまたは第５の態様において、前記原稿サポート部の前記第１姿勢は、前記原稿サポート部が前記サポートフレームに当接することにより規定されることを特徴とする。
【００１８】
本態様によれば、前記原稿サポート部の前記第１姿勢は、前記原稿サポート部が前記サポートフレームに当接することにより規定されるので、原稿給送時の前記下流サポート部に対する前記原稿サポート部の姿勢が正確に定まり、より適切な給送が実現できる。
【００１９】
本発明の第９の態様は、第４、第５、第８、のこれら態様のいずれかにおいて、前記原稿サポート部から給送された原稿が下向きに湾曲反転され、前記原稿サポート部の下側を通って排出される原稿搬送路と、前記原稿搬送路のうち前記下流サポート部から前記読み取り手段に至る原稿の湾曲反転搬送路の外側を形成する湾曲搬送路形成部材と、を備え、前記湾曲搬送路形成部材は、前記原稿サポート部の回動軸より下側に位置する回動軸を中心に回動することで開閉し、閉じることにより前記湾曲反転搬送路を形成し、開くことにより前記湾曲反転搬送路を開放することを特徴とする。
【００２０】
本態様によれば、前記湾曲搬送路形成部材は、前記原稿サポート部の回動軸より下側に位置する回動軸を中心に回動することで開閉するので、前記湾曲搬送路形成部材を開いた際に、前記湾曲反転搬送路をより大きく開放でき、ジャム処理性が向上する。
【００２１】
本発明の第１０の態様は、第９の態様に記載の画像読取装置において、前記湾曲搬送路形成部材は、閉じた状態で前記カバー部の前記第１面及び前記ベースフレームの上面とともに水平方向に沿った装置上面を形成することを特徴とする。
【００２２】
本態様によれば、前記湾曲搬送路形成部材は、閉じた状態で前記カバー部の前記第１面及び前記ベースフレームの上面とともに水平方向に沿った装置上面を形成するので、前記湾曲搬送路形成部材を備える構成において装置上面の平坦性が確保され、美観に優れるとともに装置上面に原稿等を載置した際の安定性が向上する。
【００２３】
本発明の第１１の態様は、第１０の態様において、前記カバー部及び前記湾曲搬送路形成部材の双方が閉じた際、装置上面において前記カバー部の縁部と前記湾曲搬送路形成部材の縁部とが対向しており、前記湾曲搬送路形成部材の縁部の一部には凹部が形成され、当該凹部を介して前記カバー部の縁部の少なくとも一部が露呈することを特徴とする。
【００２４】
本態様によれば、開口を形成せずに、前記凹部により前記カバー部の縁部の少なくとも一部を露呈させることができ、その結果前記カバー部を開くことができるので、装置内部への塵埃等の侵入を抑制できる。
【００２５】
本発明の第１２の態様は、第１から第１１の態様のいずれかにおいて、前記原稿サポート部と前記カバー部は、原稿給送方向と交差する方向である原稿幅方向の少なくとも一部において、原稿給送方向でオーバーラップしていることを特徴とする。
【００２６】
本態様によれば、前記原稿サポート部と前記カバー部は、原稿給送方向と交差する方向である原稿幅方向の少なくとも一部において、原稿給送方向でオーバーラップしているので、原稿を前記カバー部に沿ってセットする際の、原稿先端の前記原稿サポートへの引っ掛かりを抑制できる。
【００２７】
本発明の第１３の態様は、第９から第１１の態様のいずれかにおいて、前記原稿サポート部の開動作に連動して前記湾曲搬送路形成部材が開くことを特徴とする。  
本態様によれば、前記原稿サポート部の開動作に連動して前記湾曲搬送路形成部材が開くので、ジャム処理の際の操作性がより一層向上する。
【図面の簡単な説明】
【００２８】
【図１】本発明に係るプリンターのスキャナーの非使用状態の外観斜視図。
【図２】本発明に係るプリンターのスキャナーの使用状態の外観斜視図。
【図３】本発明に係るスキャナーの非使用状態における原稿搬送路を示す側断面図。
【図４】本発明に係るスキャナーの使用状態における原稿搬送路を示す側断面図。
【図５】図１のＡ−Ａ線における断面図。
【図６】図２のＢ−Ｂ線における断面図。
【図７】原稿サポート部に設けられたカバー部の支持部を示す斜視図。
【図８】原稿サポート部に設けられたカバー部の支持部及びベースフレームに設けられた凹部を示す斜視図。
【図９】カバー部の回動軸及び凸部を示す斜視図。
【図１０】ベースフレームに設けられた、カバー部の開いた姿勢を規定する位置決め部の斜視図。
【図１１】原稿サポート部の回動状態を示す側断面図。
【図１２】スキャナーのＡＤＦ部における原稿サポート部、カバー部及びサポートフレームの関係を示す平面図。
【図１３】図１２におけるＣ部の拡大図。
【図１４】原稿サポート部とサポートフレームとの関係を示す側断面図。
【図１５】ＡＤＦ部において湾曲搬送路形成部材を開いた姿勢とした状態の側断面図。
【図１６】ベースフレームと湾曲搬送路形成部材との係合部を示す側断面図。
【図１７】ベースフレームに対する湾曲搬送路形成部材の開き角度を規制する規制部を示す側面図。
【図１８】湾曲搬送路形成部材に対するベースフレームの回動軸を示す斜視図。
【図１９】ＡＤＦ部において原稿サポート部にサポートフレームを連動させて開いた姿勢とした状態を示す側断面図。
【図２０】ＡＤＦ部において原稿サポート部にサポートフレームを連動させて開いた姿勢とした状態の斜視図。
【図２１】ベースフレームに対するサポートフレームを開いた姿勢とした際の位置決め部の状態及びサポートフレームを閉じた姿勢とした際の位置決め部の状態を示す斜視図。
【図２２】ベースフレームに対してサポートフレームを閉じた姿勢における位置決め部の側断面図。
【図２３】補助排出トレイの未使用時におけるスキャナーのＡＤＦ部の使用状態を示す斜視図。
【図２４】補助排出トレイの未使用時におけるＡＤＦ部の側断面図。
【図２５】原稿サポート部のエッジガイドの平面図。
【図２６】図２５におけるＥ−Ｅ線、Ｆ−Ｆ線及びＧ−Ｇ線における断面図。
【図２７】図２３におけるＤ部の拡大図。
【図２８】図１におけるＨ−Ｈ線の側断面図。
【図２９】図１２におけるＪ部の拡大図。
【図３０】図２９におけるＫ−Ｋ線の側断面図。
【図３１】ＡＤＦ部における原稿サポート部、カバー部、サポートフレーム、湾曲搬送路形成部材及び排出トレイの回動軸の関係を説明する側面図。
【図３２】ＡＤＦ部における原稿サポート部、カバー部、サポートフレーム、湾曲搬送路形成部材及び排出トレイの回動軸の関係を説明する側面図。
【図３３】スキャナーにおいてＡＤＦ部を回動させた状態を示す斜視図。
【図３４】原稿押さえ部材とベースフレームとの関係を示す側断面図。
【図３５】原稿搬送経路の原稿読取部の周辺を示す側断面図。
【図３６】ベースフレームに設けられたリブを示す斜視図。
【図３７】原稿搬送経路の排出ローラー対の周辺を示す側断面図。
【図３８】排出駆動ローラーを下方側から見た斜視図。
【図３９】ベースフレームに対する湾曲搬送路形成部材の開き角度を規制する規制部の変更例を示す側面図。
【図４０】原稿サポート部と湾曲搬送路形成部材とを連動させて閉じた姿勢から開いた姿勢へと切り換える構成を示す側断面図。
【図４１】原稿サポート部の変更例を示す斜視図。
【図４２】図４１におけるＭ部の拡大図。
【図４３】原稿サポート部におけるエッジガイドの変更例を示す斜視図。
【図４４】原稿サポート部におけるエッジガイドの変更例を示す側断面図。
【発明を実施するための形態】
【００２９】
以下、本発明の実施の形態を図面に基づいて説明する。尚、各実施例において同一の構成については、同一の符号を付し、最初の実施例においてのみ説明し、以後の実施例においてはその構成の説明を省略する。
【００３０】
図１は本発明に係るプリンターのスキャナーの非使用状態の外観斜視図であり、図２は本発明に係るプリンターのスキャナーの使用状態の外観斜視図であり、図３は本発明に係るスキャナーの非使用状態における原稿搬送路を示す側断面図であり、図４は本発明に係るスキャナーの使用状態における原稿搬送路を示す側断面図であり、図５は図１のＡ−Ａ線における断面図であり、図６は図２のＢ−Ｂ線における断面図である。
【００３１】
図７は原稿サポート部に設けられたカバー部の支持部を示す斜視図であり、図８は原稿サポート部に設けられたカバー部の支持部及びベースフレームに設けられた凹部を示す斜視図であり、図９はカバー部の回動軸及び凸部を示す斜視図であり、図１０はベースフレームに設けられた、カバー部の開いた姿勢を規定する位置決め部の斜視図であり、図１１は原稿サポート部の回動状態を示す側断面図であり、図１２はスキャナーのＡＤＦ部における原稿サポート部、カバー部及びサポートフレームの関係を示す平面図である。
【００３２】
図１３は図１２におけるＣ部の拡大図であり、図１４は原稿サポート部とサポートフレームとの関係を示す側断面図であり、図１５はＡＤＦ部において湾曲搬送路形成部材を開いた姿勢とした状態の側断面図であり、図１６はベースフレームと湾曲搬送路形成部材との係合部を示す側断面図であり、図１７はベースフレームに対する湾曲搬送路形成部材の開き角度を規制する規制部を示す側面図であり、図１８は湾曲搬送路形成部材に対するベースフレームの回動軸を示す斜視図であり、図１９はＡＤＦ部において原稿サポート部にサポートフレームを連動させて開いた姿勢とした状態を示す側断面図である。
【００３３】
図２０はＡＤＦ部において原稿サポート部にサポートフレームを連動させて開いた姿勢とした状態の斜視図であり、図２１はベースフレームに対するサポートフレームを開いた姿勢とした際の位置決め部の状態及びサポートフレームを閉じた姿勢とした際の位置決め部の状態を示す斜視図であり、図２２はベースフレームに対してサポートフレームを閉じた姿勢における位置決め部の側断面図であり、図２３は補助排出トレイの未使用時におけるスキャナーのＡＤＦ部の使用状態を示す斜視図であり、図２４は補助排出トレイの未使用時におけるＡＤＦ部の側断面図であり、図２５は原稿サポート部のエッジガイドの平面図である。
【００３４】
図２６は図２５におけるＥ−Ｅ線、Ｆ−Ｆ線及びＧ−Ｇ線における断面図であり、図２７は図２３におけるＤ部の拡大図であり、図２８は図１におけるＨ−Ｈ線の側断面図であり、図２９は図１２におけるＪ部の拡大図であり、図３０は図２９におけるＫ−Ｋ線の側断面図であり、図３１はＡＤＦ部における原稿サポート部、カバー部、サポートフレーム、湾曲搬送路形成部材及び排出トレイの回動軸の関係を説明する側面図であり、図３２はＡＤＦ部における原稿サポート部、カバー部、サポートフレーム、湾曲搬送路形成部材及び排出トレイの回動軸の関係を説明する側面図である。
【００３５】
図３３はスキャナーにおいてＡＤＦ部を回動させた状態を示す斜視図であり、図３４は原稿押さえ部材とベースフレームとの関係を示す側断面図であり、図３５は原稿搬送経路の原稿読取部の周辺を示す側断面図であり、図３６はベースフレームに設けられたリブを示す斜視図であり、図３７は原稿搬送経路の排出ローラー対の周辺を示す側断面図であり、図３８は排出駆動ローラーを下方側から見た斜視図である。
【００３６】
図３９はベースフレームに対する湾曲搬送路形成部材の開き角度を規制する規制部の変更例を示す側面図であり、図４０は原稿サポート部と湾曲搬送路形成部材とを連動させて閉じた姿勢から開いた姿勢へと切り換える構成を示す側断面図であり、図４１は原稿サポート部の変更例を示す斜視図であり、図４２は図４１におけるＭ部の拡大図であり、図４３は原稿サポート部におけるエッジガイドの変更例を示す斜視図であり、図４４は原稿サポート部におけるエッジガイドの変更例を示す側断面図である。
【００３７】
また、各図において示すＸ−Ｙ−Ｚ座標系はＸ方向が原稿の幅方向、すなわち装置奥行き方向を示し、Ｙ方向が画像読取装置内の搬送経路における原稿の搬送方向、すなわち装置幅行き方向を示し、Ｚ方向が装置高さ方向を示している。
【００３８】
■■■第１の実施例■■■■
＜＜＜プリンターの概要＞＞＞
図１を参照して、プリンター１０の全体構成について説明する。プリンター１０は、記録装置の一例として、インクジェットプリンターとして構成されている。プリンター１０は、装置本体１２と、「画像読取装置」としてのスキャナーユニット１４とを備える複合機として構成されている。
【００３９】
本実施例において、スキャナーユニット１４は、装置本体１２の装置奥行き方向背面側端部に回動可能に接続されており、図示しないがスキャナーユニット１４を装置背面側に回動させることで、装置本体１２の上部を露呈させるように構成されている。スキャナーユニット１４は、スキャナー本体１６と、ＡＤＦ（オートドキュメントフィーダー）部１８とを備えている。
【００４０】
ＡＤＦ部１８は、スキャナー本体１６の装置奥行き方向背面側端部に回動可能に接続されており、ＡＤＦ部１８を装置背面側に回動させることで、スキャナーユニット１４の上部に設けられた原稿載置面２０（図３３）を露出させることができ、原稿載置面２０に原稿をセットすることができる。原稿載置面２０は、透明かつ平坦なガラス板により構成されている。尚、本実施例における「原稿」とは、写真や文書等の原稿を一例とする。
【００４１】
図１において、ＡＤＦ部１８の上部には、カバー部２２と、排出トレイ２４と、湾曲搬送路形成部材２６と、ベースフレーム２８とが設けられている。ベースフレーム２８には、カバー部２２、排出トレイ２４及び湾曲搬送路形成部材２６が回動可能に取り付けられている。カバー部２２及び排出トレイ２４は、図１及び図３に示す非給送状態と、図２及び図４に示す給送状態とを切り換え可能に構成されている。カバー部２２は、「第１面」としての上面２２ａと、「第２面」としての下面２２ｂとを備えている。
【００４２】
図１及び図３に示す非給送状態において、カバー部２２の上面２２ａ、排出トレイ２４の上面２４ａ、湾曲搬送路形成部材２６の上面２６ａ及びベースフレーム２８の上面２８ａは、ＡＤＦ部１８の上面１８ａを形成している。カバー部２２の上面２２ａ、排出トレイ２４の上面２４ａ、湾曲搬送路形成部材２６の上面２６ａ及びベースフレーム２８の上面２８ａが、水平方向であるＸ方向及びＹ方向に沿った姿勢を取ることにより、ＡＤＦ部１８の上面１８ａは、水平方向であるＸ方向及びＹ方向に沿った姿勢、つまり平坦な面を形成している。したがって、プリンター１０のＡＤＦ部１８の上面１８ａが平坦であることから、装置の美的外観が優れるだけでなく、ＡＤＦ部１８の上面１８ａに書類や物品を仮置きしたとしても、上面１８ａからこれらの書類等が落下することを低減でき、または抑制できるのでユーザーの利便性を向上させることができる。
【００４３】
図２及び図４において、カバー部２２及び排出トレイ２４が給送状態に切り換わると、原稿サポート部３２がＡＤＦ部１８の上部において露呈する。原稿サポート部３２は、給送状態を取ったカバー部２２の下面２２ｂとともに原稿を支持する。原稿サポート部３２及びカバー部２２の下面２２ｂに支持された原稿は、原稿搬送路３５に沿って送られる。
【００４４】
＜＜＜原稿搬送路について＞＞＞
図４、図３５及び図３７において原稿搬送路３５について説明する。尚、図４において符号Ｐが付された二点鎖線は、原稿搬送路３５に沿って搬送される原稿の搬送経路を示している。原稿搬送路３５において、原稿サポート部３２の搬送方向下流側には、「給送手段」としての給送ローラー３４ａ、分離ローラー３６、搬送ローラー対３８、「読み取り手段」としての読取部４２及び排出ローラー対４４の順に配置されている。本実施例では、給送ローラー３４ａと対向する位置に従動ローラー３４ｂが設けられている。従動ローラー３４ｂは、給送ローラー３４ａに対して従動回転可能に構成されている。従動ローラー３４ｂは、給送ローラー３４ａにより給送される原稿が無くなって給送ローラー３４ａが回り続けた際、給送ローラー３４ａと対向面との間の摩擦を減らすために設けられている。その結果、搬送負荷による読取画像への影響を低減することができる。
【００４５】
図３５において、分離ローラー３６と対向する位置には、分離パッド４６が設けられている。分離パッド４６は、分離ローラー３６と当接している。分離パッド４６は、一例として高摩擦材料で形成されている。給送ローラー３４ａにより給送された複数の原稿は、分離ローラー３６及び分離パッド４６により分離され、分離ローラー３６と接している原稿のみが原稿搬送方向下流側に配置された搬送ローラー対３８に送られる。尚、分離ローラー３６から搬送ローラー対３８に送られる過程で原稿は湾曲反転させられる。
【００４６】
搬送ローラー対３８は、搬送ローラー３８ａと、従動ローラー３８ｂとを備えている。搬送ローラー３８ａは不図示の駆動源から動力を受けて駆動するように構成され、従動ローラー３８ｂは、搬送ローラー３８ａに対して従動回転可能に構成されている。図３５において搬送ローラー３８ａの径寸法ｄ１は、従動ローラー３８ｂの径寸法ｄ２よりも大きく設定されている。従動ローラー３８ｂは、付勢手段４８により搬送ローラー３８ａに付勢されている。付勢手段４８は、一例として棒ばねとして構成され、従動ローラー３８ｂ内に配置されている。
【００４７】
搬送ローラー対３８の下流側には、読取部４２が設けられている。搬送ローラー対３８により読取部４２に送られた原稿は、原稿載置面２０を介して対向する位置に設けられた画像読取機構５０により読み取られる。原稿載置面２０において画像読取機構５０により読み取られた原稿は、原稿搬送路３５において読取部４２の下流側に設けられた排出ローラー対４４に搬送され、排出ローラー対４４により排出トレイ２４の上面２４ａに排出される。
【００４８】
図３７において、排出ローラー対４４は、排出ローラー４４ａと、従動ローラー４４ｂとを備えている。排出ローラー４４ａは不図示の駆動源から動力を受けて駆動するように構成され、従動ローラー４４ｂは、排出ローラー４４ａに対して従動回転可能に構成されている。従動ローラー４４ｂは、付勢手段５２により排出ローラー４４ａに付勢されている。付勢手段５２は、一例として棒ばねとして構成され、従動ローラー４４ｂ内に配置されている。
【００４９】
＜＜＜カバー部等の回動動作について＞＞＞
図５及び図６において、カバー部２２及び排出トレイ２４の姿勢切り換えについて説明する。図６において、カバー部２２には、回動軸２２ｃが形成され、回動軸２２ｃを回動支点として回動可能に構成されている。排出トレイ２４には、回動軸２４ｂが形成され、回動軸２４ｂを回動支点として回動可能に構成されている。図５においてカバー部２２の−Ｙ方向側には係合部２２ｄが形成されている。係合部２２ｄは、カバー部２２が非給送状態（図５）であるとき、排出トレイ２４の＋Ｙ方向側端部と係合して排出トレイ２４の下方側から排出トレイ２４を支持している。
【００５０】
次いで、図６において回動軸２２ｃを回動支点にカバー部２２を回動させると、係合部２２ｄは、符号２２ｄ−１が付された二点鎖線に示す回動軌跡に沿って回動軸２２ｃの周りを回動する。これにより、係合部２２ｄは排出トレイ２４の下方において排出トレイ２４を支持する位置から、回動軸２２ｃに対して＋Ｙ方向側の位置へ回動によって変位する。その結果、排出トレイ２４は、係合部２２ｄによる支えがなくなるので、回動軸２４ｂを回動支点に図６における反時計回り方向に回動し、非給送状態から給送状態へと切り換わる。尚、図６において符号２４−１が付された一点鎖線は、排出トレイ２４の＋Ｙ方向側端部の回動軌跡を示している。
【００５１】
図６において、カバー部２２が回動軸２２ｃを回動支点に時計回り方向に回動すると、上面２２ａが外装面に対し下方側に移行し、下面２２ｂが外装面に対し上方側に移行し、下面２２ｂが原稿の支持面として機能する。
【００５２】
さらに、図７ないし図１０において、カバー部２２の回動に関連する構成について説明する。図７及び図８において原稿サポート部３２のＸ軸方向両端部の上部には、受け部３２ａ、３２ｂがそれぞれ形成されている。本実施例では、原稿サポート部３２の＋Ｘ方向側端部に受け部３２ａが形成され、−Ｘ方向側端部に受け部３２ｂが形成されている。受け部３２ａ、３２ｂは、カバー部２２が非給送状態を取る際、カバー部２２の下面２２ｂの一部と当接し、カバー部２２を支持する。したがって、カバー部２２は、非給送状態において原稿サポート部３２に支持されている。
【００５３】
さらに、受け部３２ａ、３２ｂは、カバー部２２の姿勢を水平方向であるＸ方向及びＹ方向に沿った姿勢に規定する。本実施例では、一例として原稿サポート部３２の上部に受け部３２ａ、３２ｂを設けたことから、カバー部２２に押圧力や衝撃力が作用しても、カバー部２２の変形を抑制でき、カバー部２２の位置や姿勢を維持できる。その結果、例えば、ユーザーがカバー部２２を押圧しても、カバー部２２の変形が抑制でき、カバー部２２の位置を維持できるのでカバー部２２に対して剛性感を得ることができる。さらに、原稿サポート部３２の支持面３２ｃから立設している部分（Ｌ時曲げ部分）に受け部３２ａ、３２ｂを設けたほうがカバー部２２の支持強度を上げることができる。
【００５４】
本実施例において受け部３２ｂを−Ｘ方向側においてベースフレーム２８ではなく、原稿サポート部３２の上部に設ける構成（図８）とした。例えば、受け部３２ｂをベースフレーム２８の−Ｘ方向側の側面に設ける構成とすると、Ｘ軸方向において受け部３２ｂと原稿サポート部３２とが干渉しないように配置する必要があり、Ｘ軸方向に装置寸法が大きくなる虞がある。本実施例では、原稿サポート部３２の上部に受け部３２ｂを設けているので、受け部３２ｂと原稿サポート部３２とが干渉する虞がなく、Ｘ軸方向における装置の小型化を図ることができる。
【００５５】
図８において、ベースフレーム２８の−Ｘ軸方向側の側面２８ｂには、凹部２８ｃと、凹部２８ｃを取り囲むリング状の凸部２８ｄとが形成されている。一方、図９において、カバー部２２の側部には、半球状の凸部２２ｅが形成されている。凸部２２ｅは凹部２８ｃに対して係合可能に構成されている。カバー部２２の凸部２２ｅは、カバー部２２が非給送状態の際、凹部２８ｃと係合している。尚、図示していないが、ベースフレーム２８の＋Ｘ軸方向側側面及びカバー部２２の＋Ｘ軸方向側側面においても同様の構成が設けられている。
【００５６】
カバー部２２を回動させて非給送状態から給送状態へ切り換える際、凸部２２ｅは凹部２８ｃとの係合を解除して凹部２８ｃを取り囲むリング状の凸部２８ｄを乗り越えて移動する。逆にカバー部２２を給送状態から非給送状態へと切り換える際は、凸部２２ｅはリング状の凸部２８ｄを乗り越えて凹部２８ｃに嵌って係合する。特に、カバー部２２を給送状態から非給送状態へと切り換える際、凸部２２ｅはリング状の凸部２８ｄを乗り越えて凹部２８ｃに係合することから、ユーザーに対して凸部２２ｅがリング状の凸部２８ｄを乗り越えた感触、所謂クリック感を与え、カバー部２２が閉じたことをユーザーに認識させることができる。
【００５７】
次いで図６及び図１０において、ベースフレーム２８の−Ｘ軸方向側の側面２８ｂにおいて上面２８ａより下方側に、被姿勢決め部２８ｅが設けられている。被姿勢決め部２８ｅは、Ｘ軸方向において原稿搬送領域の外側に配置されている。同様に、図示していないが、ベースフレーム２８の＋Ｘ軸方向側の側面にも被姿勢決め部２８ｅが設けられている。
【００５８】
カバー部２２において回動軸２２ｃに対して係合部２２ｄ寄りの位置に姿勢決め部２２ｆが設けられている。カバー部２２を非給送状態（図５）から回動させて給送状態（図６）に切り換えると、姿勢決め部２２ｆは回動軸２２ｃの回りを回動し、被姿勢決め部２８ｅの下方側から接近して被姿勢決め部２８ｅと係合する（図１０）。そして、カバー部２２は、給送状態においてベースフレーム２８に支持される。これにより、カバー部２２は原稿サポート部３２の位置に依らずに直接、ベースフレーム２８に対してカバー部２２の姿勢（角度）を決めることができる。その結果、ベースフレーム２８に対して給送状態におけるカバー部２２の角度決めの精度を向上させることができる。さらに、原稿の給送時における原稿搬送負荷のばらつきを抑制することができる。
【００５９】
本実施例では、一例として被姿勢決め部２８ｅは、ベースフレーム２８の−Ｘ軸方向側の側面２８ｂにおいて上面２８ａより下方側に設けられているので、カバー部２２が非給送状態を取る際、ＡＤＦ部１８の外部から被姿勢決め部２８ｅが見え難く、ＡＤＦ部１８の外観を損ねない。さらに、被姿勢決め部２８ｅは、Ｘ軸方向において原稿搬送領域の外側に配置されているので、原稿の搬送にも影響を与えることがない。尚、本実施例において、被姿勢決め部２８ｅは、ベースフレーム２８の−Ｘ軸方向側の側面２８ｂ及び＋Ｘ軸方向側の側面に設ける構成としたが、カバー部２２の姿勢を保持可能であれば、いずれか一方のみを設ける構成としてもよい。
【００６０】
＜＜＜原稿サポート部及びサポートフレームについて＞＞＞
図１１ないし図１５において、原稿サポート部３２及びサポートフレーム５４の関係について説明する。図１１及び図１２において、サポートフレーム５４は、湾曲搬送路形成部材２６がベースフレーム２８に対して閉じられた状態で、湾曲搬送路形成部材２６とともに原稿搬送路３５の一部を形成するように構成されている。本実施例において、サポートフレーム５４には、給送ローラー３４ａと対向する従動ローラー３４ｂ、分離パッド４６、搬送ローラー対３８の搬送ローラー３８ａ及び排出ローラー対４４の排出ローラー４４ａが配置されている。さらに、図３においてサポートフレーム５４の一部は、原稿サポート部３２の支持面３２ｃとともに給送前の原稿を支持する下流サポート部５４ａとして機能する
【００６１】
図１１及び図１２において、サポートフレーム５４の−Ｙ方向側端部においてＸ軸方向両側の端部には、軸受部５４ｂが形成されている。本実施例において原稿サポート部３２の＋Ｙ軸側端部（原稿の搬送方向下流側の端部）には、原稿サポート部３２から＋Ｘ軸方向及び−Ｙ軸方向へそれぞれ突出する一対の回動軸３２ｄが設けられている。図１１において、サポートフレーム５４の軸受部５４ｂには、原稿サポート部３２の回動軸３２ｄが挿入され、原稿サポート部３２はサポートフレーム５４に対して回動可能に連結されている。
【００６２】
本実施例において原稿サポート部３２は、給送ローラー３４ａにより原稿を給送する姿勢である第１姿勢（図４及び図６）と、サポートフレーム５４に対して上方側に回動させて原稿サポート部３２の下部空間５６を拡げる第２姿勢（図１１）とを切り換え可能である。原稿サポート部３２を第１姿勢から第２姿勢へと切り換えると、図１１に示すように原稿サポート部３２の下部空間５６、つまり排出ローラー対４４により排出される原稿の排出空間を大きく拡げることができ、ユーザーが下部空間５６を容易に目視確認することができる。その結果、下部空間５６において原稿が詰まった際、容易に詰まった原稿を取り除くことができる。
【００６３】
本実施例において、原稿サポート部３２は、カバー部２２の回動動作に関係なく、第１姿勢と第２姿勢とを切り換えることができる。これにより、原稿サポート部３２に対してカバー部２２の回動動作を連動させる機構を設ける必要がないので、一例として装置高さ方向の小型化を図ることができる。
【００６４】
次いで、図１２ないし図１４においてサポートフレーム５４の−Ｙ方向側端部、具体的には図１２において符号Ｃが付された丸の領域内において複数の被位置決め部５４ｃが設けられている。一方で、原稿サポート部３２の＋Ｙ方向側端部には、被位置決め部５４ｃに対応する位置に位置決め部３２ｅが設けられている。図１３及び図１４において原稿サポート部３２が第１姿勢を取る際、位置決め部３２ｅは被位置決め部５４ｃに当接する。その結果、第１姿勢を取る原稿サポート部３２は、サポートフレーム５４に対して位置が規定される。
【００６５】
その結果、第１姿勢における原稿サポート部３２の位置を安定させることができる。さらに、原稿サポート部３２において第１姿勢の位置をサポートフレーム５４に規定されるので、原稿サポート部３２がカバー部２２の下面２２ｂに沿う高さ位置で姿勢を安定させることができ、ひいては、カバー部２２の非給送状態の姿勢を安定させることができる。さらに、原稿サポート部３２がサポートフレーム５４により位置決めされることで、原稿搬送路３５が連続し、原稿搬送時に原稿が引っ掛かり難くすることができる。
【００６６】
＜＜＜湾曲搬送路形成部材について＞＞＞
次いで、図１５ないし図１８において湾曲搬送路形成部材２６について説明する。図１５及び図１８において、湾曲搬送路形成部材２６の＋Ｙ方向側端部の下部は、ベースフレーム２８に設けられた回動軸２８ｆに取り付けられている。したがって、湾曲搬送路形成部材２６は、ベースフレーム２８に対して回動軸２８ｆを支点として回動可能に連結されている。さらに、図１６において、湾曲搬送路形成部材２６の−Ｙ方向側端部２６ｅの下部には、被掛止部２６ｂが形成されている。ベースフレーム２８側には、フック状の掛止部２８ｇが設けられている。
【００６７】
図１６において、湾曲搬送路形成部材２６がベースフレーム２８に対して閉じた状態にある際、被掛止部２６ｂは、掛止部２８ｇに掛止されている。一例として、被掛止部２６ｂと掛止部２８ｇとは、スナップフィットとして構成されている。
【００６８】
湾曲搬送路形成部材２６をベースフレーム２８に対して閉じた状態（図１６）から回動軸２８ｆを回動支点として＋Ｙ方向側に回動させると、被掛止部２６ｂと掛止部２８ｇとの掛止状態が解除され、湾曲搬送路形成部材２６がベースフレーム２８に対して開いた状態（図１５）となる。尚、図１５において、湾曲搬送路形成部材２６には、給送ローラー３４ａ及び分離ローラー３６が設けられている。
【００６９】
ここで、図４及び図３５において、湾曲搬送路形成部材２６をベースフレーム２８に対して閉じた状態において、湾曲搬送路形成部材２６はサポートフレーム５４とともに原稿搬送路３５において下流サポート部５４ａから読取部４２に至る湾曲反転搬送路５８を形成している。湾曲搬送路形成部材２６をベースフレーム２８に対して回動させて開いた状態（図１５）とすると湾曲反転搬送路５８が開放される。したがって、湾曲反転搬送路５８内において原稿のジャムが生じた場合、湾曲反転搬送路５８を開放することができるので、湾曲反転搬送路５８内に詰まった原稿を容易に取り去ることができる。
【００７０】
次いで図１７において、ベースフレーム２８には、フック状の角度規制部２８ｈが設けられている。一方、湾曲搬送路形成部材２６には、被角度規制部２６ｃが設けられている。湾曲搬送路形成部材２６をベースフレーム２８に対して閉じた状態（図１６）から湾曲搬送路形成部材２６がベースフレーム２８に対して開いた状態（図１５）へと切り換える際、湾曲搬送路形成部材２６が所定の角度まで回動すると、被角度規制部２６ｃが角度規制部２８ｈと接触し、湾曲搬送路形成部材２６の回動が規制される。
【００７１】
ここで、回動軸２８ｆ（図１７において破線部）に対応する位置に角度規制部を設けた場合、湾曲搬送路形成部材２６は、回動軸２８ｆに近い位置で角度規制を受ける。この構成では、回動軸２８ｆと角度規制部との距離が近いため、湾曲搬送路形成部材２６を角度規制する際に湾曲搬送路形成部材２６から受ける荷重が大きくなり回動軸２８ｆが破損する場合がある。本実施例では、角度規制部２８ｈは、回動軸２８ｆから離れた位置に設けられている。その結果、湾曲搬送路形成部材２６を角度規制する際、湾曲搬送路形成部材２６から受ける荷重を回動軸２８ｆと角度規制部２８ｈとで分散することができるので、回動軸２８ｆの破損を低減、あるいは防止できる。
【００７２】
さらに、本実施例では、角度規制部２８ｈは装置高さ方向上方に延びる第１規制面２８ｊと第１規制面２８ｊから−Ｙ方向側に装置高さ方向上方へ傾斜して延びる第２規制面２８ｋとを備えている。これにより、角度規制部２８ｈが被角度規制部２６ｃと当接して湾曲搬送路形成部材２６の回動を規制した際、第１規制面２８ｊが湾曲搬送路形成部材２６の回動に伴う＋Ｙ方向成分の荷重を受け、第２規制面２８ｋが湾曲搬送路形成部材２６の回動に伴う＋Ｚ方向成分の荷重を受けるので、回動軸２８ｆに掛かる荷重を小さくすることができ、回動軸２８ｆの破損を低減、あるいは防止できる。尚、図１８に示す回動軸２８ｆを大径化することでも回動軸２８ｆの破損を低減できる。本実施例では、一例としてベースフレーム２８に回動軸２８ｆを設ける構成としたが、湾曲搬送路形成部材２６側に回動軸を設けてもよい。
【００７３】
次いで図１９ないし図２２及び図３１において、サポートフレーム５４の回動に関連する構成について説明する。図１９及び図３１において、サポートフレーム５４の＋Ｙ軸方向側端部に回動軸５４ｄが設けられている。サポートフレーム５４は回動軸５４ｄを介してベースフレーム２８に回動可能に連結されている。本実施例において、サポートフレーム５４は、下流サポート部５４ａが給送前の原稿を支持する給送時姿勢（図４）と、給送時姿勢から上方側に回動して下部空間５６（図１９）を拡げる開放姿勢とを切り換え可能である。
【００７４】
図１９においてサポートフレーム５４に連結された原稿サポート部３２を図１５に示す状態からさらに上方に持ち上げると、サポートフレーム５４は回動軸５４ｄを回動支点としてベースフレーム２８に対して図１９における反時計周り方向に回動する。その結果、図１９及び図２０において、原稿サポート部３２の下部空間５６をさらに拡げるとともに下流サポート部５４ａの下部空間５７を拡げることができ、ユーザーが下部空間５６だけでなくサポートフレーム５４の下部空間５７において排出ローラー対４４の従動ローラー４４ｂや読取部４２が設けられた位置まで容易に目視が可能となる。その結果、原稿搬送路３５において読取部４２から排出ローラー対４４に至る経路及び下部空間５６、５７において原稿が詰まった際、容易に詰まった原稿を取り除くことができる。
【００７５】
図２１及び図２２において、サポートフレーム５４には、−Ｙ方向側端部（図１９における自由端側）から−Ｙ方向側に突出する複数の被位置決め部５４ｅ（図２０）が設けられている。図２２において、被位置決め部５４ｅは、一例として円筒状に形成されており、その内周面は、第１位置規制部５４ｆとして機能する。さらに、円筒状の被位置決め部５４ｅには、内周面から内側に向かってせり出す内向きフランジ状の第２位置規制部５４ｇが形成されている。内向きフランジ状の第２位置規制部５４ｇの中心部には貫通孔５４ｈが形成されている。
【００７６】
ベースフレーム２８には、被位置決め部５４ｅに対応するように円筒状の位置決め部２８ｍが形成されている。円筒状の位置決め部２８ｍは、上面２８ｎと、外周面２８ｐとを備えている。
【００７７】
図２１において、サポートフレーム５４をベースフレーム２８から離間させた状態（上の図参照）から、サポートフレーム５４をベースフレーム２８側に回動させると、サポートフレーム５４の被位置決め部５４ｅが、ベースフレーム２８の位置決め部２８ｍと係合する。この状態において、図２２に示すように、被位置決め部５４ｅの第２位置規制部５４ｇと位置決め部２８ｍの上面２８ｎとが当接する。これにより、Ｚ軸方向においてベースフレーム２８に対するサポートフレーム５４の位置が規定される。尚、図２１において原稿サポート部３２の図示は省略している。
【００７８】
さらに、円筒状の位置決め部２８ｍは、被位置決め部５４ｅ内に挿入される。そして、位置決め部２８ｍの外周面２８ｐと、被位置決め部５４ｅの内周面としての第１位置規制部５４ｆと対向する。これにより、Ｘ軸方向及びＹ軸方向においてベースフレーム２８に対するサポートフレーム５４の位置が規定される。尚、外周面２８ｐと第１位置規制部５４ｆとの間には、ベースフレーム２８に対するサポートフレーム５４の回動動作を円滑に行うべく隙間が設けられているが、その隙間量はベースフレーム２８に対するサポートフレーム５４の位置精度に影響を与えないように回動動作に必要な最小限度に設定されている。
【００７９】
図２２において、位置決め部２８ｍに締結部材用の固定穴２８ｑを設けても良い。この場合、被位置決め部５４ｅの上方から不図示の締結部材を貫通孔５４ｈを通して、固定穴２８ｑに締め付けることで、サポートフレーム５４がベースフレーム２８に対して固定することができる。尚、不図示の締結部材は、一例としてねじやボルト等である。ベースフレーム２８に対してサポートフレーム５４を固定することで、ユーザーの読取部４２への不用意なアクセスを回避することができる。
【００８０】
＜＜＜補助トレイについて＞＞＞
図２、図４、図２３及び図２４において排出トレイ２４の補助トレイ２４ｃに関して説明する。排出トレイ２４の−Ｙ方向側端部には補助トレイ２４ｃが排出トレイ２４に対して展開した状態（図２）と、排出トレイ２４内に格納された状態（図２３）とを切り換え可能に設けられている。さらに図３において、補助トレイ２４ｃが排出トレイ２４内に格納された状態では、−Ｙ軸方向においてベースフレーム２８から突出せず、ベースフレーム２８の−Ｙ方向側端部と面一となることから、ＡＤＦ部１８、ひいてはプリンター１０の美的外観が良くなる。
【００８１】
図２３及び図２４においてベースフレーム２８の−Ｙ方向側端部には、補助トレイ２４ｃが排出トレイ２４内に格納された状態に対応する位置に凹状の手掛け部２８ｒが設けられている。手掛け部２８ｒは、補助トレイ２４ｃが排出トレイ２４内に格納された状態においてユーザーが指を入れて補助トレイ２４ｃを排出トレイ２４内から引き出せるサイズに設定されている。したがって、格納状態の補助トレイ２４ｃを容易に排出トレイ２４から引き出すことができるので、補助トレイ２４ｃの操作性が向上する。
【００８２】
次いで、図２５及び図２６を参照して原稿サポート部３２の支持面３２ｃに設けられたエッジガイド６０について説明する。原稿サポート部３２の支持面３２ｃにおいて＋Ｘ方向側の端部にはエッジガイド６０がＸ軸方向に沿って移動可能に設けられている。
【００８３】
図２５及び図２６において原稿サポート部３２の支持面３２ｃには、Ｘ軸方向に延びるラチェット歯列３２ｆが設けられている。エッジガイド６０には、エッジガイド本体６０ａと、第１操作レバー６０ｂとが設けられている。第１操作レバー６０ｂは、Ｙ軸方向両端部からエッジガイド本体６０ａに向けて延びる第１アーム６０ｃ及び第２アーム６０ｄを備えている。Ｙ軸方向において第１アーム６０ｃ及び第２アーム６０ｄの間には、エッジガイド本体６０ａから＋Ｘ方向に延びる第３アーム６０ｅが設けられている。
【００８４】
図２６において、第１アーム６０ｃの下部にはラチェット歯列３２ｆと噛合する第１爪６０ｆ（Ｅ−Ｅ断面図）が設けられ、第２アーム６０ｄの下部には、ラチェット歯列３２ｆと噛合する第２爪６０ｇ（Ｇ−Ｇ断面図）が設けられ、第３アーム６０ｅの下部には、ラチェット歯列３２ｆと噛合する第３爪６０ｈ（Ｆ−Ｆ断面図）が設けられている。
【００８５】
図２６において符号Ｘ−１が付された破線は、第１爪６０ｆ及び第２爪６０ｇの＋Ｘ方向側端部の位置を示しており、符号Ｘ−２が付された破線は、第３爪６０ｈの＋Ｘ方向側端部の位置を示している。本実施例において、第３爪６０ｈの＋Ｘ方向側端部の位置は第１爪６０ｆ及び第２爪６０ｇの＋Ｘ方向側端部の位置よりも＋Ｘ方向側にずらされている。より具体的には、ラチェット歯列３２ｆに対する第３爪６０ｈの噛み合わせが、ラチェット歯列３２ｆに対する第１爪６０ｆ及び第２爪６０ｇの噛み合わせよりも半ピッチ遅れるように設定されている。
【００８６】
エッジガイド６０を−Ｘ方向側に移動させる際、ラチェット機構により第１操作レバー６０ｂを摘まなくても移動可能である。本実施例では、ラチェット歯列３２ｆに対する第３爪６０ｈの噛み合わせが、ラチェット歯列３２ｆに対する第１爪６０ｆ及び第２爪６０ｇの噛み合わせよりも半ピッチ遅れているので、エッジガイド６０を移動させる際、第１爪６０ｆ及び第２爪６０ｇがラチェット歯列３２ｆと噛合すると、第３爪６０ｈとラチェット歯列３２ｆとが非噛合状態となる。一方で、第３爪６０ｈとラチェット歯列３２ｆとが噛合すると、第１爪６０ｆ及び第２爪６０ｇとラチェット歯列３２ｆとが非噛合状態となる。したがって、エッジガイド６０をラチェット歯列３２ｆに対して半ピッチ毎に移動させることができるので、エッジガイドの分解能を上げることができる。
【００８７】
本実施例において、ラチェット歯列３２ｆに対して第１爪６０ｆ及び第２爪６０ｇと第３爪６０ｈとが交互に噛合するので、エッジガイド６０のラチェット歯列３２ｆに対するピッチ間移動が円滑となりユーザーのエッジガイド６０に対する操作感を向上させることができる。
【００８８】
図１、図２３、図２７及び図２８においてカバー部２２に対する手掛け部について説明する。湾曲搬送路形成部材２６の−Ｙ方向側縁部の上面２６ａに凹部としての手掛け部２６ｄが設けられている。図２７において手掛け部２６ｄは上面２６ａにおいて凹部として形成されている。図２８において、カバー部２２が非給送状態にある際、カバー部２２の＋Ｙ方向側縁部２２ｈと湾曲搬送路形成部材２６の−Ｙ方向側端部２６ｅは対向している。本実施例では、湾曲搬送路形成部材２６の−Ｙ方向側端部２６ｅに手掛け部２６ｄを設けたので、カバー部２２の＋Ｙ方向側縁部２２ｈの少なくとも一部が露呈する。ここで、ユーザーが指を手掛け部２６ｄに差し入れることで、指先がカバー部２２の＋Ｙ方向側縁部２２ｈに引っ掛かるので、カバー部２２を容易に持ち上げて非給送状態から給送状態へと切り換えることができる。
【００８９】
本実施例では、手掛け部２６ｄを凹部として構成したことから、ＡＤＦ部１８の非使用状態（図１）において外部からＡＤＦ部１８内部への塵や埃の侵入を低減、あるいは防止できる。さらに手掛け部２６ｄを湾曲搬送路形成部材２６側に設ける構成としたので、カバー部２２に手掛け部用の開口を設ける必要が無く、ＡＤＦ部１８内部への塵や埃の侵入をより効果的に低減できる。
【００９０】
図２８において、湾曲搬送路形成部材２６の上面２６ａと、カバー部２２の上面２２ａとはＹ軸方向においてずらして配置され、湾曲搬送路形成部材２６とカバー部２２とはＺ軸方向においてオーバーラップしていない。これにより、湾曲搬送路形成部材２６が、原稿サポート部３２のカバー部２２の非給送状態における位置決めに影響を与えることがないので、ＡＤＦ部１８の非使用状態における上面１８ａを平坦に維持することができる。さらに、湾曲搬送路形成部材２６とカバー部２２とがＺ軸方向においてオーバーラップしていないので、Ｚ軸方向における装置サイズの大型化を防止できる。
【００９１】
次いで、図１２、図２９及び図３０において、カバー部２２の給送状態における原稿サポート部３２との橋渡しについて説明する。図１２及び図２９において、カバー部２２が給送状態にある際、下面２２ｂの＋Ｙ方向側端部においてＸ軸方向に間隔をおいて複数のリブ２２ｇ（図２も参照）が設けられている。
【００９２】
原稿サポート部３２の−Ｙ方向側端部３２ｈには、リブ２２ｇに対応するようにＸ軸方向に間隔をおいて複数の凹部３２ｇが形成されている。図３０において、カバー部２２が給送状態を取ると、Ｙ軸方向においてリブ２２ｇの＋Ｙ軸方向側端部が凹部３２ｇ内に入り込む。そして、カバー部２２のリブ２２ｇと凹部３２ｇとは原稿給送方向においてオーバーラップしている。原稿サポート部３２の−Ｙ方向側端部３２ｈは、支持面３２ｃに対して−Ｚ軸方向に傾斜して延びている。リブ２２ｇの上端は、Ｚ軸方向において凹部３２ｇが設けられている位置よりも高さＬ１分だけ上方に位置している。
【００９３】
したがって、原稿搬送方向において上流側に位置するリブ２２ｇの方が、原稿搬送方向下流側に位置する凹部３２ｇよりもＺ軸方向において高い位置に位置しているので、原稿を給送する際、原稿の先端が原稿サポート部３２の−Ｙ方向側端部３２ｈに引っ掛かることがなく、カバー部２２から原稿サポート部３２への原稿の受け渡しが円滑となる。尚、リブ２２ｇをカバー部２２に設け、凹部３２ｇを原稿サポート部３２に設ける構成としたが、逆の構成としてもよい。
【００９４】
＜＜＜カバー部、原稿サポート部、排出トレイ、湾曲搬送路形成部材等の回動軸の位置について＞＞＞
図３１及び図３２において、カバー部２２、排出トレイ２４、湾曲搬送路形成部材２６、原稿サポート部３２、サポートフレーム５４の各回動軸のＺ軸方向における位置関係について説明する。図３１において、カバー部２２の回動軸２２ｃは、カバー部２２の下面２２ｂにＺ軸方向における高さ位置に沿うように配置されている。本実施例において排出トレイ２４の回動軸２４ｂはカバー部２２の下面２２ｂの高さ位置に沿うように、Ｚ軸方向において回動軸２２ｃと略同じ高さ位置に配置されている。
【００９５】
ここでカバー部２２における回動軸２２ｃと上面２２ａとの距離と、排出トレイ２４の回動軸２４ｂと上面２４ａとの距離を略同じとすることで、カバー部２２及び排出トレイ２４の非給送状態における上面２２ａと上面２４ａとのＺ軸方向における高さ位置を揃えることができ、ＡＤＦ部１８の上面１８ａを平坦にすることができる。尚、本実施例における略同じ高さ及び略同じ距離とは、完全一致の状態を意味するものではなく、組立や部品の精度誤差等も含みうる状態のことを意味している。
【００９６】
図３１において原稿サポート部３２の回動軸３２ｄもカバー部２２の下面２２ｂの高さ位置に沿うように配置されている。より具体的には、Ｚ軸方向において回動軸３２ｄは、回動軸２２ｃに対してカバー部２２の上面２２ａと下面２２ｂとの距離に対応して下方側に配置されている。さらに、Ｚ軸方向において原稿サポート部３２の受け部３２ａ、３２ｂは、回動軸２２ｃよりも上方に位置し、ベースフレーム２８の上面２８ａよりもカバー部２２の上面２２ａと下面２２ｂとの距離分下方に位置している。
【００９７】
これにより、非給送状態におけるカバー部２２を原稿サポート部３２が支持した状態で上面２２ａがＹ軸方向に沿う姿勢を維持でき、カバー部２２の上面２２ａとベースフレーム２８の上面２８ａとのＺ軸方向における高さ位置を揃えることができるので、ＡＤＦ部１８の上面１８ａの平坦性を確保できる。
【００９８】
図３１においてにおいて非給送状態のカバー部２２の係合部２２ｄが非給送状態の排出トレイ２４と係合して排出トレイ２４を支持する位置は、Ｚ軸方向において回動軸２４ｂよりも上方に位置している。排出トレイ２４は、回動軸２４ｂよりも高い位置で係合部２２ｄが支持されているので、上面２４ａをＹ軸方向に沿った姿勢に維持することができ、ＡＤＦ部１８の上面１８ａの平坦性を確保できる。
【００９９】
図３２においてサポートフレーム５４の回動軸５４ｄは、原稿サポート部３２の回動軸３２ｄよりもＺ軸方向において下方に配置されている。図１９において回動軸５４ｄを支点にサポートフレーム５４を回動させた際、原稿サポート部３２は回動軸３２ｄを支点にサポートフレーム５４に対して回動させることができる。この際、原稿サポート部３２の回動軸３２ｄが回動軸５４ｄよりもＺ軸方向上方に位置する構成であるので、Ｚ軸方向において回動軸３２ｄと回動軸５４ｄとを略同じ高さ位置に配置する場合よりもサポートフレーム５４に対して原稿サポート部３２をより上方に変位させることができる。その結果、図１９に示すように、開いた状態の湾曲搬送路形成部材２６に干渉しない範囲で、原稿サポート部３２の下部空間５６のみならず、サポートフレーム５４の下部空間５７において読取部４２まで目視可能となるように原稿搬送路３５を大きく開放することができる。
【０１００】
本実施例では、カバー部２２の回動軸２２ｃ、排出トレイ２４の回動軸２４ｂ、原稿サポート部３２の回動軸３２ｄ及びサポートフレーム５４の回動軸５４ｄをＺ軸方向においてカバー部２２の下面２２ｂの高さ位置に沿うように配置している。したがって、ＡＤＦ部１８（プリンター１０）の上面１８ａに近い位置に各回動軸が配置されているので、カバー部２２、排出トレイ２４、原稿サポート部３２、サポートフレーム５４の各構成要素が閉じた状態でのＡＤＦ部１８の上面１８ａの平坦性をより確実に確保できる。
【０１０１】
図３２においてサポートフレーム５４の回動軸５４ｄは、湾曲搬送路形成部材２６の回動軸２８ｆよりもＺ軸方向上方側に位置している。湾曲搬送路形成部材２６の回動軸２８ｆは湾曲搬送路形成部材２６の下部に設けられているので、回動軸２８ｆを上方に設けた場合よりも湾曲搬送路形成部材２６を回動させた際、−Ｙ方向側の空間をより大きく開口することができる。その結果、サポートフレーム５４も回動軸５４ｄを支点に回動させる際の回動量を大きくできるので、原稿搬送路３５を大きく開放することができる。
【０１０２】
図３２において、カバー部２２が給送状態にある際、カバー部２２の姿勢決め部２２ｆは回動軸２２ｃよりもＺ軸方向下方に位置している。その結果、ＡＤＦ部１８の未使用時に姿勢決め部２２ｆがカバー部２２から露出しない効果がある。
【０１０３】
次いで図３３及び図３４においてＡＤＦ部１８の下面、より具体的には、ＡＤＦ部１８をスキャナー本体１６に対して閉じた状態の際、原稿載置面２０と対向する領域には原稿保持部材６２が設けられている。原稿保持部材６２は、シート状部材として構成されている。原稿保持部材６２は、ＡＤＦ部１８の下面を構成するベースフレーム２８に不図示の固定手段により取り付けられている。本実施例では、一例として固定手段は、両面テープ等の粘着シート部材、あるいは接着剤等で構成されている。
【０１０４】
原稿保持部材６２は、ＡＤＦ部１８をスキャナー本体１６に対して閉じた状態の際、原稿載置面２０に押し当てられる構成である。これにより、原稿保持部材６２は、原稿載置面２０に原稿がセットされた際、原稿を原稿載置面２０に対して押し付けて、読み取り動作中に原稿が原稿載置面２０に対してずれないよう保持する。本実施例では、ベースフレーム２８に緩衝材等なしで直接原稿保持部材６２を貼り付ける構成であるので、Ｚ軸方向における寸法削減、及び部品点数の減少によるコストダウンを図ることができる。さらに、ベースフレーム２８と原稿保持部材６２との間に板バネ等の付勢手段を設けることで、ＡＤＦ部１８をスキャナー本体１６に対して閉じた際の衝撃を緩和できる。
【０１０５】
次いで、図３５及び図３６において、ベースフレーム２８には複数のリブ６４が形成されている。リブ６４は、原稿搬送路３５の湾曲反転搬送路５８において搬送ローラー対３８の上流側から搬送ローラー３８ａと原稿搬送方向においてオーバーラップする位置まで延びている。リブ６４は、湾曲反転搬送路５８において原稿を搬送ローラー３８ａに向けて案内するようにベースフレーム２８から突出している。
【０１０６】
ここで、湾曲反転搬送路５８では、搬送経路が大きく湾曲する形状であるので、搬送される原稿は湾曲されて搬送される。この際、原稿には、元の平坦な状態に戻ろうとする力が発生するので、原稿は、湾曲反転搬送路５８の外側部分、つまり湾曲搬送路形成部材２６側に貼り付きながら搬送方向下流側に搬送される。このため、従動ローラー３８ｂに原稿の先端が当たると従動ローラー３８ｂに引っ掛かって搬送ローラー対３８にニップされず原稿が搬送できなくなる場合がある。
【０１０７】
本実施例では、湾曲反転搬送路５８に沿って搬送された原稿は、リブ６４により原稿先端の向きを従動ローラー３８ｂから搬送ローラー３８ａに向けて変えるので、原稿先端を搬送ローラー３８ａに接触させて、原稿を搬送ローラー対３８にニップさせることができる。これにより、湾曲反転搬送路５８において原稿を円滑に読取部４２に搬送することができる。
【０１０８】
図３７及び図３８において、原稿搬送路３５において、排出ローラー対４４の配置された領域の上流側に原稿案内部６６が設けられている。原稿案内部６６は、読取部４２において読み取られた後、原稿搬送路３５に沿って送られた原稿を排出ローラー対４４のニップ点に向けて案内するように構成されている。
【０１０９】
ここで、原稿搬送路３５に沿って送られた原稿の先端が排出ローラー４４ａに突き当たると、突き当たった瞬間、原稿の搬送が止まるので、読取部４２における原稿の読み取り画像が乱れることがある。
【０１１０】
本実施例では、原稿搬送路３５に沿って送られてきた媒体の先端は、排出ローラー４４ａに突き当たることなく、原稿案内部６６により排出ローラー対４４のニップ点に案内されるので、原稿の搬送が止まることなく、円滑に排出される。その結果、読取部４２における原稿の読み取り画像の品質の低下を抑制、あるいは防止できる。尚、本実施例では、原稿案内部６６をリブ形状ではなく、案内面として構成したので、原稿のコックリングの影響を最小にすることができる。
【０１１１】
図３６及び図３８において、排出ローラー４４ａは駆動軸６８とともに回転するように駆動軸６８に取り付けられている。駆動軸６８において、排出ローラー４４ａの両側には排出補助部材７０が取り付けられている。尚、図３６では、排出ローラー４４ａに対して−Ｘ方向側の排出補助部材７０が図示され、図３８では、排出ローラー４４ａに対して＋Ｘ方向側の排出補助部材７０が図示されている。排出補助部材７０は、一例としてウレタン材により形成されている。
【０１１２】
本実施例において排出補助部材７０は、一例として最外径が排出ローラー４４ａよりも大きく設定されている。これにより、搬送された原稿の後端を排出補助部材７０が掻き出して、原稿が従動ローラー４４ｂ上に残ることを防止できる。さらに、本実施例では、排出補助部材７０を駆動軸６８の軸線方向において排出ローラー４４ａの両外側に配置したので、原稿がスキューした状態で搬送された場合であっても、原稿後端を確実に掻き出して排出させることができる。
【０１１３】
＜＜＜実施例の変更例＞＞＞
（１）図３９において角度規制部２８ｈの変更例について説明する。本変更例では、湾曲搬送路形成部材２６を回動させて所定の角度で被角度規制部２６ｃが角度規制部２８ｈに当接した際、湾曲搬送路形成部材２６を所定の角度で保持する保持手段７２を設けても良い。保持手段７２は、一例として湾曲搬送路形成部材２６側に設けられた半球状の凸部としての被係合部７２ａと、ベースフレーム２８側に設けられた半球状の凸部としての係合部７２ｂとを備えている。一例として、係合部７２ｂは、湾曲搬送路形成部材２６の回動に伴う被係合部７２ａの回動軌跡Ｓ（図３９の符号Ｓが付された一点鎖線）上に配置されている。
【０１１４】
湾曲搬送路形成部材２６を閉じた状態（図１６）から回動させると、被係合部７２ａも回動軌跡Ｓに沿って回動する。湾曲搬送路形成部材２６の被角度規制部２６ｃが角度規制部２８ｈに所定の角度で接触する直前に、被係合部７２ａは係合部７２ｂと接触する。さらに、湾曲搬送路形成部材２６を回動させて被角度規制部２６ｃを角度規制部２８ｈに接触させようとすると、被係合部７２ａは係合部７２ｂを乗り越える。この際、湾曲搬送路形成部材２６を回動させるユーザーは、被係合部７２ａが係合部７２ｂを乗り越えた感触、クリック感を得られる。
【０１１５】
被係合部７２ａが係合部７２ｂを乗り越えると、被角度規制部２６ｃが角度規制部２８ｈに所定の角度で接触する。ここで、ユーザーが湾曲搬送路形成部材２６から手を離しても、被係合部７２ａが係合部７２ｂと係合した状態（図３９）を維持するので、保持手段７２は、所定の角度で湾曲搬送路形成部材２６が開いた状態を維持することができる。
【０１１６】
（２）図４０において、湾曲搬送路形成部材２６と原稿サポート部３２との開閉連動手段について説明する。本変更例では、原稿サポート部３２の＋Ｙ方向側端部３２ｊが、Ｙ軸方向において湾曲搬送路形成部材２６の−Ｙ方向側端部２６ｅの下方に潜り込むようにオーバーラップしている。この構成では、原稿サポート部３２を回動軸３２ｄを回動支点として図４０における反時計回り方向に回動させると、湾曲搬送路形成部材２６のロックが解除されて湾曲搬送路形成部材２６の−Ｙ方向側端部２６ｅが原稿サポート部３２の＋Ｙ方向側端部３２ｊに持ち上げられる。したがって、原稿サポート部３２を操作することで、湾曲搬送路形成部材２６のロックを解除して回動させられる状態へと切り換えられるので、湾曲搬送路形成部材２６の操作の手間を削減できる。
【０１１７】
さらに、図４０において、ベースフレーム２８にフック状の掛止部７４が設けられ、湾曲搬送路形成部材２６に被掛止部７６が設けられ、掛止部７４と被掛止部７６とが係合状態にあると湾曲搬送路形成部材２６のベースフレーム２８に対する回動を規制するロック手段が設けられている。本変更例では、図１６における掛止部２８ｇと被掛止部２６ｂとの位置関係を逆に変更している。このように構成することで、湾曲搬送路形成部材２６をベースフレーム２８に対して回動させる際、掛止部７４が被掛止部２６ｂに押圧されるので、掛止部７４が＋Ｙ方向側に変位して掛止状態を小さな力で解除することができる。その結果、湾曲搬送路形成部材２６のロック解除に掛かる力を小さくできるので、湾曲搬送路形成部材２６を原稿サポート部３２に容易に連動させることができる。
【０１１８】
ロック手段の他の一例として、原稿サポート部３２の＋Ｙ方向側端部３２ｊと湾曲搬送路形成部材２６の−Ｙ方向側端部２６ｅとのオーバーラップ部分により近い位置にロック手段を設けてもよい。このように構成することで、部材の変形等による操作力の伝達ロスが小さくなり、より小さい操作力でロック手段を解除することができる。
【０１１９】
（３）本実施例では、原稿サポート部３２は、原稿搬送方向下流側に位置する回動軸３２ｄを回動支点として回動する構成（図１１）としたが、この構成に代えて、図４１及び図４２において回動軸を原稿搬送方向上流側に設けて原稿サポート部７８の＋Ｙ方向側端部７８ａを自由端側とする構成としてもよい。
【０１２０】
この構成では、原稿サポート部７８の−Ｙ方向側端部に回動軸７８ｂが設けられている。本変更例では、原稿サポート部７８は、回動軸７８ｂを回動支点として、原稿搬送方向下流側を自由端側として回動する（図４１及び図４２）。このように構成することで、原稿サポート部７８を回動させた際、下部空間５６をより広く開放することができ、詰まった原稿を容易に取り除くことができる。
【０１２１】
図４２においてカバー部２２が給送状態にある際、カバー部２２の一部が回動軸７８ｂと接触し、回動軸７８ｂはカバー部２２の給送状態の姿勢を規定している。これにより、ベースフレーム２８に別途、カバー部２２の給送状態の姿勢を規定する位置決め部を設ける必要がなくなり、Ｘ軸方向でのスペースの削減が可能となる。さらに、回動軸７８ｂをカバー部２２の給送状態の姿勢を規定する位置決め部として利用するので、カバー部２２の姿勢を維持するための強度を得ることができ、カバー部２２の給送状態の姿勢精度を向上させることができる。
【０１２２】
（４）図４３及び図４４においてエッジガイド８０の構成について説明する。エッジガイド８０は、原稿サポート部３２の支持面３２ｃにＸ軸方向に移動可能に取り付けられている。本変更例において、エッジガイド８０（図４４）は、エッジガイド本体８０ａと、操作部８０ｂと、付勢手段８０ｃとを備えている。エッジガイド本体８０ａは、原稿サポート部３２の支持面３２ｃにＸ軸方向に移動可能に取り付けられている。付勢手段８０ｃの一端はエッジガイド本体８０ａに接続され、他端は操作部８０ｂに接続されている。付勢手段８０ｃは、操作部８０ｂをエッジガイド本体８０ａから離間する方向に付勢している。
【０１２３】
操作部８０ｂは、カバー部２２が非給送状態の姿勢を取ったとき、カバー部２２と接触する。その際、操作部８０ｂは、カバー部２２の重みにより付勢手段８０ｃの付勢力に抗してエッジガイド本体８０ａ側に変位する。これにより、カバー部２２は非給送状態において上面２２ａをＹ軸方向に沿った姿勢にすることができる。
【０１２４】
一方で、カバー部２２を非給送状態から給送状態に切り換えると、操作部８０ｂは付勢手段８０ｃの付勢力により、エッジガイド本体８０ａから離れる方向に変位する。操作部８０ｂは、Ｚ軸方向において上方に変位するので、操作部８０ｂの高さが高くなり、ユーザーが操作しやすくなる。
【０１２５】
（５）本実施例では、原稿サポート部３２は回動軸３２ｄを回動支点として回動可能に構成したが、この構成に代えて、原稿サポート部３２をカバー部２２側へスライド移動させるスライド移動手段を設けてもよい。この構成によれば、原稿サポート部３２をスライド移動させることで下部空間５６をより大きく開放することができ、原稿搬送路３５において下部空間５６に対応する位置で詰まった原稿を容易に取り除くことができる。スライド移動手段の一例として、原稿サポート部３２とカバー部２２との互いの向きを考慮して、湾曲搬送路形成部材２６の＋Ｘ軸方向及び−Ｘ軸方向の内壁に設けられたスライド経路に沿って原稿サポート部３２をスライド移動させることが望ましい。
【０１２６】
上記課題を解決する為の、スキャナーユニット１４は、原稿を読み取る読取部４２と、給送前の原稿を支持する原稿サポート部３２と、原稿サポート部３２に支持された原稿を読取部４２に向けて送り出す給送ローラー３４ａと、開閉可能であり、閉じた状態で上面２２ａが装置上面を形成し、開いた状態で上面２２ａとは反対側の下面２２ｂが原稿サポート部３２とともに原稿を支持する支持面を形成するカバー部２２と、カバー部２２とともにＡＤＦ部１８の上面１８ａを形成するベースフレーム２８と、を備え、原稿サポート部３２は回動可能に設けられ、回動することにより、給送ローラー３４ａから原稿を給送する姿勢である第１姿勢と、第１姿勢から上方に開いて原稿サポート部３２の下部空間５６を拡げる第２姿勢と、を切り換え可能であり、カバー部２２は、閉じた状態で上面２２ａがベースフレーム２８の上面２８ａとともに水平方向であるＸ軸方向及びＹ軸方向に沿ったＡＤＦ部１８の上面１８ａを形成し、原稿サポート部３２の第１姿勢は、閉じた状態におけるカバー部２２の下面２２ｂに沿った姿勢である。
【０１２７】
上記構成によれば、原稿サポート部３２は、給送ローラー３４ａから原稿を給送する姿勢である第１姿勢と、第１姿勢から上方に開いて原稿サポート部３２の下部空間５６を拡げる第２姿勢と、を切り換え可能であり、即ち開く前の姿勢である第１姿勢が原稿を給送する姿勢であるので、原稿給送時の原稿サポート部３２の姿勢をより容易に、適切な角度に保つことができる。  
加えて、原稿サポート部３２の第１姿勢は、閉じた状態におけるカバー部２２（水平方向に沿った姿勢にあるカバー部２２（図３））の下面２２ｂに沿った姿勢であるので、原稿サポート部３２の下部空間５６を最大限に確保でき、ジャム処理性が向上する。  
更にカバー部２２は、閉じた状態で上面２２ａがベースフレーム２８の上面２８ａとともに水平方向であるＸ軸方向及びＹ軸方向に沿ったＡＤＦ部１８の上面１８ａを形成するので、ＡＤＦ部１８の上面１８ａの平坦性が確保され、美観に優れるとともに上面１８ａに原稿等を載置した際の安定性が向上する。
【０１２８】
読取部４２によって読み取りが行われて排出される原稿を受ける排出トレイ２４を備え、排出トレイ２４は、開閉可能に設けられ、閉じた状態でカバー部２２の上面２２ａ及びベースフレーム２８の上面２８ａとともに水平方向であるＸ軸方向及びＹ軸方向に沿ったＡＤＦ部１８の上面１８ａを形成する。
【０１２９】
上記構成によれば、排出トレイ２４は、開閉可能に設けられ、閉じた状態でカバー部２２の上面２２ａ及びベースフレーム２８の上面２８ａとともに水平方向であるＸ軸方向及びＹ軸方向に沿ったＡＤＦ部１８の上面１８ａを形成するので、排出トレイ２４を備える構成においてＡＤＦ部１８の上面１８ａの平坦性が確保され、美観に優れるとともに上面１８ａに原稿等を載置した際の安定性が向上する。
【０１３０】
カバー部２２は、閉じた状態において原稿サポート部３２によって支持される。この構成によれば、カバー部２２は、閉じた状態において安定した姿勢にある（第１姿勢にある）原稿サポート部３２の受け部３２ａ、３２ｂによって支持されるので、カバー部２２の閉じた姿勢を適切に保つことができ、特にＡＤＦ部１８の上面１８ａの平坦性が確保される。
【０１３１】
原稿サポート部３２の下流側に位置し、原稿サポート部３２ととともに給送前の原稿を支持する下流サポート部５４ａを形成するサポートフレーム５４を有し、サポートフレーム５４は、回動可能に設けられ、回動することにより、下流サポート部５４ａが給送前の原稿を支持する給送時姿勢と、給送時姿勢から上方に開いて下流サポート部５４ａの下部空間５７を拡げる開放姿勢と、を切り換える。
【０１３２】
上記構成によれば、原稿サポート部３２の下流側、即ち原稿サポート部３２より更に装置奥側に位置する下流サポート部５４ａを形成するサポートフレーム５４が開放可能であるので、原稿サポート部３２の下部空間５６を更に拡がるとともに下流サポート部５４ａの下部空間５７が拡がることでジャム処理性がより一層向上する。
【０１３３】
原稿サポート部３２は、サポートフレーム５４に対して回動可能に連結されている。この構成によれば、原稿サポート部３２とサポートフレーム５４の双方を開くことで原稿サポート部３２及びサポートフレーム５４の下部空間５６、５７が大きく露呈し、ジャム処理性がより一層向上する。  
加えて、原稿サポート部３２を持ち上げることでサポートフレーム５４も持ち上げることができる為、操作性も向上する。
【０１３４】
カバー部２２は、開いた状態においてベースフレーム２８に支持される。この構成によれば、カバー部２２は原稿サポート部３２の位置に依らずに直接ベースフレーム２８により姿勢が規定されるので、カバー部２２の開いた姿勢がより適切且つ確実に定まる。
【０１３５】
原稿サポート部３２の回動軸３２ｄは、当該原稿サポート部３２の給送方向下流側に位置する。この構成によれば、ジャム処理の際に原稿サポート部３２を開いた際に、原稿搬送方向上流側が自由端側となり、より大きく開かれるので装置内部に手を差し入れ易い状態とすることができる。
【０１３６】
原稿サポート部３２の第１姿勢は、原稿サポート部３２がサポートフレーム５４に当接することにより規定される。この構成によれば、原稿給送時の下流サポート部５４ａに対する原稿サポート部３２の姿勢が正確に定まり、より適切な給送が実現できる。
【０１３７】
原稿サポート部３２から給送された原稿が下向きに湾曲反転され、原稿サポート部３２の下側を通って排出される原稿搬送路３５と、原稿搬送路３５のうち下流サポート部５４ａから読取部４２に至る原稿の湾曲反転搬送路５８の外側を形成する湾曲搬送路形成部材２６と、を備え、湾曲搬送路形成部材２６は、原稿サポート部３２の回動軸３２ｄより下側に位置する回動軸２８ｆを中心に回動することで開閉し、閉じることにより湾曲反転搬送路５８を形成し、開くことにより湾曲反転搬送路５８を開放する。
【０１３８】
上記構成によれば、湾曲搬送路形成部材２６は、原稿サポート部３２の回動軸３２ｄより下側に位置する回動軸２８ｆを中心に回動することで開閉するので、湾曲搬送路形成部材２６を開いた際に、湾曲反転搬送路５８をより大きく開放でき、ジャム処理性が向上する。
【０１３９】
スキャナーユニット１４において、湾曲搬送路形成部材２６は、閉じた状態でカバー部２２の上面２２ａ及びベースフレーム２８の上面２８ａとともに水平方向であるＸ軸方向及びＹ軸方向に沿ったＡＤＦ部１８の上面１８ａを形成する。
【０１４０】
上記構成によれば、湾曲搬送路形成部材２６は、閉じた状態でカバー部２２の上面２２ａ及びベースフレーム２８の上面２８ａとともに水平方向であるＸ軸方向及びＹ軸方向に沿ったＡＤＦ部１８の上面１８ａを形成するので、湾曲搬送路形成部材２６を備える構成においてＡＤＦ部１８の上面１８ａの平坦性が確保され、美観に優れるとともに上面１８ａに原稿等を載置した際の安定性が向上する。
【０１４１】
カバー部２２及び湾曲搬送路形成部材２６の双方が閉じた際、ＡＤＦ部１８の上面１８ａにおいてカバー部２２の＋Ｙ方向側縁部２２ｈと湾曲搬送路形成部材２６の−Ｙ方向側端部２６ｅとが対向しており、湾曲搬送路形成部材２６の−Ｙ方向側端部２６ｅの一部には手掛け部２６ｄが形成され、手掛け部２６ｄを介してカバー部２２の＋Ｙ方向側縁部２２ｈの少なくとも一部が露呈する。
【０１４２】
上記構成によれば、開口を形成せずに、手掛け部２６ｄによりカバー部２２の＋Ｙ方向側縁部２２ｈの少なくとも一部を露呈させることができ、その結果カバー部２２を開くことができるので、ＡＤＦ部１８内部への塵埃等の侵入を抑制できる。
【０１４３】
原稿サポート部３２とカバー部２２は、原稿給送方向（Ｙ軸方向）と交差する方向である原稿幅方向（Ｘ軸方向）の少なくとも一部において、原稿給送方向でオーバーラップしている。この構成によれば、原稿をカバー部２２に沿ってセットする際の、原稿先端の原稿サポート部３２への引っ掛かりを抑制できる。
【０１４４】
原稿サポート部３２の開閉に連動して湾曲搬送路形成部材２６が開閉する。この構成によれば、原稿サポート部３２の開動作に連動して湾曲搬送路形成部材２６が開くので、ジャム処理の際の操作性がより一層向上する。
【０１４５】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１４６】
１０…プリンター、１２…装置本体、１４…スキャナーユニット、１６…スキャナー本体、１８…ＡＤＦ部、１８ａ、２２ａ、２４ａ、２６ａ、２８ａ、２８ｎ…上面、２０…原稿載置面、２２…カバー部、２２ｂ…下面、２２ｃ、２４ｂ、２８ｆ、３２ｄ、５４ｄ、７８ｂ…回動軸、２２ｄ、７２ｂ…係合部、２２ｅ、２８ｄ…凸部、２２ｆ…姿勢決め部、２２ｇ…リブ、２２ｈ…＋Ｙ方向側縁部、２４…排出トレイ、２４ｃ…補助トレイ、２６…湾曲搬送路形成部材、２６ｂ、７６…被掛止部、２６ｃ…被角度規制部、２６ｄ、２８ｒ…手掛け部、２６ｅ…−Ｙ方向側端部、２８…ベースフレーム、２８ｂ…側面、２８ｃ、３２ｇ…凹部、２８ｅ…被姿勢決め部、２８ｇ、７４…掛止部、２８ｈ…角度規制部、２８ｊ…第１規制面、２８ｋ…第２規制面、２８ｍ、３２ｅ…位置決め部、２８ｐ…外周面、２８ｑ…固定穴、３２、７８…原稿サポート部、３２ａ、３２ｂ…受け部、３２ｃ…支持面、３２ｆ…ラチェット歯列、３２ｈ…−Ｙ方向側端部、３２ｊ…＋Ｙ方向側端部、３４ａ…給送ローラー、３４ｂ、３８ｂ、４４ｂ…従動ローラー、３５…原稿搬送路、３６…分離ローラー、３８…搬送ローラー対、３８ａ…搬送ローラー、４２…読取部、４４…排出ローラー対、４４ａ…排出ローラー、４６…分離パッド、４８、５２、８０ｃ…付勢手段、５０…画像読取機構、５４…サポートフレーム、５４ａ…下流サポート部、５４ｂ…軸受部、５４ｃ、５４ｅ…被位置決め部、５４ｆ…第１位置規制部、５４ｇ…第２位置規制部、５４ｈ…貫通孔、５６、５７…下部空間、５８…湾曲反転搬送路、６０、８０…エッジガイド、６０ａ、８０ａ…エッジガイド本体、６０ｂ…第１操作レバー、６０ｃ…第１アーム、６０ｄ…第２アーム、６０ｅ…第３アーム、６０ｆ…第１爪、６０ｇ…第２爪、６０ｈ…第３爪、６２…原稿保持部材、６４…リブ、６６…原稿案内部、６８…駆動軸、７０…排出補助部材、７２…保持手段、７２ａ…被係合部、７８ａ…＋Ｙ方向側端部、８０ｂ…操作部、Ｓ…回動軌跡、ｄ１、ｄ２…径寸法
【図１】
2018160846.tif 000003
【図２】
2018160846.tif 000004
【図３】
2018160846.tif 000005
【図４】
2018160846.tif 000006
【図５】
2018160846.tif 000007
【図６】
2018160846.tif 000008
【図７】
2018160846.tif 000009
【図８】
2018160846.tif 000010
【図９】
2018160846.tif 000011
【図１０】
2018160846.tif 000012
【図１１】
2018160846.tif 000013
【図１２】
2018160846.tif 000014
【図１３】
2018160846.tif 000015
【図１４】
2018160846.tif 000016
【図１５】
2018160846.tif 000017
【図１６】
2018160846.tif 000018
【図１７】
2018160846.tif 000019
【図１８】
2018160846.tif 000020
【図１９】
2018160846.tif 000021
【図２０】
2018160846.tif 000022
【図２１】
2018160846.tif 000023
【図２２】
2018160846.tif 000024
【図２３】
2018160846.tif 000025
【図２４】
2018160846.tif 000026
【図２５】
2018160846.tif 000027
【図２６】
2018160846.tif 000028
【図２７】
2018160846.tif 000029
【図２８】
2018160846.tif 000030
【図２９】
2018160846.tif 000031
【図３０】
2018160846.tif 000032
【図３１】
2018160846.tif 000033
【図３２】
2018160846.tif 000034
【図３３】
2018160846.tif 000035
【図３４】
2018160846.tif 000036
【図３５】
2018160846.tif 000037
【図３６】
2018160846.tif 000038
【図３７】
2018160846.tif 000039
【図３８】
2018160846.tif 000040
【図３９】
2018160846.tif 000041
【図４０】
2018160846.tif 000042
【図４１】
2018160846.tif 000043
【図４２】
2018160846.tif 000044
【図４３】
2018160846.tif 000045
【図４４】
2018160846.tif 000046